(57)【特許請求の範囲】
【請求項１】
１枚の厚紙を折ることにより直方体状に形成される鏡餅用包装箱であり，
該鏡餅用包装箱の上面部のほぼ中央の位置に，該上面部の一部を用いて起立可能な把手部が形成され，該鏡餅用包装箱の上面部から前面部に連続する開口が形成され，この開口を塞ぐとともに該把手部の内側面に接する透明シートが該上面部および該前面部の内側に設けられ，
該鏡餅用包装箱の一側面または後面が鏡餅の出入口であり，この出入口が底面部または上面部から連続しかつ直角に折り曲げられる開閉面部により閉じられ，
該上面部または底面部から連続しかつ該開閉面部の内側に直角に折り曲げられる内側片が設けられ，
該内側片の該上面部または底面部との境界付近に差込孔が形成され，該開閉面部の先端には該差込孔に差込まれる係止舌片が形成されている鏡餅用包装箱において，
該内側片に該境界に沿う線を弦とする半円形の切込みが形成されており，
該係止舌片は矩形であり，その幅が該半円形の切込みの直径にほぼ等しく，
該半円形切込みの内側の半円形片がほぼ直角に折り曲げられ，該開閉面部の先端の係止舌片の先端がほぼ垂直に該半円形片の表面に当たり該半円形片が内向きに押し込まれることで形成される該差込孔に該係止舌片が差込まれ，このときに該係止舌片が該半円形片の表面上を滑りながら下方または上方に案内されることを特徴とする，
鏡餅用包装箱。
【請求項２】
該上面部に該開口の両側縁を連結する連結部が設けられ，この連結部の両側に連続して把手部がそれぞれ形成されている，請求項１に記載の鏡餅用包装箱。
【請求項３】
該前面部および該後面部にそれぞれ連続し，該出入口を塞ぐように折り曲げられる側部内側片が設けられている，請求項１または２に記載の鏡餅用包装箱。
【請求項４】
１枚の厚紙を折ることにより直方体状の鏡餅用包装箱を形成するための型紙であって，
底面部，前面部，上面部および後面部が連続して形成され，
該上面部のほぼ中央の位置に，該上面部の一部を用いて起立可能な把手部が形成され，該上面部から該前面部に連続する開口が形成され，この開口を塞ぐとともに該把手部の内側面に接する透明シートが該上面部および該後面部の内側に設けられ，
該底面部または該上面部から開閉面部が連続して形成され，
該上面部または該底面部から内側片が連続して形成され，
該内側片の該上面部または底面部との境界付近に差込孔が形成され，該開閉面部の先端には該差込孔に差込まれる係止舌片が形成されており，
該内側片に該境界に沿う線を弦とする半円形の切込みが形成されており，
該係止舌片が矩形であり，その幅が該半円形の切込みの直径にほぼ等しく，
該差込孔が，ほぼ直角に折り曲げられる該半円形切込みの内側の半円形片に該開閉面部の先端の係止舌片の先端がほぼ垂直に当たって該半円形片が内向きに押し込まれることで形成されるものであり，該差込孔に該係止舌片が差込まれたときに，該係止舌片が該半円形片の表面上を滑りながら下方または上方に案内されるようになっていることを特徴とする，
型紙。
【発明の詳細な説明】
【技術分野】
【０００１】
この発明は鏡餅用包装箱およびその型紙に関する。
【背景技術】
【０００２】
近年，鏡餅は合成樹脂により鏡餅形に形成した合成樹脂製鏡餅形パックという形態で流通，販売されている。この鏡餅形パック内には，餅を充填する場合や，合成樹脂シートで包装した切餅または丸形餅を複数個収納する場合がある。菓子を鏡餅形パック内に入れることもある。
【０００３】
いずれにしてもこのような合成樹脂製鏡餅形パックは，そのままの形態で，簡易な飾台に載置した形態で，または厚紙製の三方（供え台）に載せ，必要な飾りを施した鏡餅セットとして販売されるが，各形態に応じて，飾台，供え台，その他の飾りとともに，厚紙製の包装箱に収納されて店頭に陳列される。この種の鏡餅用包装箱には，店頭において包装箱を積み重ねた際に，箱の中に収納された鏡餅形パックが見えるようにするために，少なくとも前面に透視窓を設けているものが多い。
【０００４】
鏡餅用包装箱は一般的に直方体形状である。鏡餅セットはその包装箱内に収納された状態で販売されるから，それを購入した消費者は直方体状の包装箱を持ち帰ることになるが，これは持ちにいくという問題がある。特に包装箱が大きい場合には内部の鏡餅形パックの重量も重く，両手を使って持たなければならない。そこで包装箱を別の大きな袋に入れないと簡単には持ち運ぶことができない。
【０００５】
この問題点を解決するために，鏡餅用包装箱の上面パネルに把手部分を一体的に設けて，簡単に持ち運べるようにしたものが提案されている。
【先行技術文献】
【特許文献】
【０００６】
【特許文献１】実用新案登録第３１２１１６３号
【０００７】
この鏡餅用包装箱は厚紙製であり，側面の開口が鏡餅の出入口となっている。この側面開口は，箱の底面から連続して形成された蓋パネルを直角に折り曲げて起立させることにより閉鎖される。このとき，蓋パネルの先端部が直角に折り曲げられて上面パネルの下面に沿うように単に挿入されるだけで，包装箱の上面パネルと蓋パネルとは結合されていない。
【０００８】
したがって，把手部分を握って重い鏡餅形パックが入った包装箱を持ち上げると，上面パネルの中央部が上に引っ張られ，上面パネルが湾曲して不安定になるとともに，上面パネルと側面の蓋パネルの上端との間にすき間ができてしまい不格好となる。
【発明の開示】
【０００９】
この発明は把手部を設けた鏡餅用包装箱において，重い鏡餅形パックを収納した状態で把手部により持ち上げたときにも包装箱の変形が殆どなく，安定して持ち運ぶことができるようにすることを目的とするものである。
【００１０】
この発明は，１枚の厚紙を折ることにより直方体状に形成される鏡餅用包装箱において，該包装箱の上面部のほぼ中央の位置に，該上面部の一部を用いて起立可能な把手部が形成され，該包装箱の上面部から前面部に連続する開口が形成され，この開口を塞ぐとともに該把手部の内側面に接する透明シートが該上面部および該前面部の内側に設けられ，該包装箱の一側面または後面が鏡餅の出入口であり，この出入口が底面部または上面部から連続しかつ直角に折り曲げられる開閉面部により閉じられ，該上面部または底面部から連続しかつ該開閉面部の内側に直角に折り曲げられる内側片が設けられ，該内側片の該上面部または底面部との境界付近に差込孔が形成され，該開閉面部の先端には該差込孔に差込まれる係止舌片が形成されていることを特徴とするものである。
【００１１】
この鏡餅用包装箱によると，上面部に形成された把手部を起立させてこれを手で握って，重い鏡餅形パックが収納された包装箱を持ち運ぶことができる。把手部を起立させてもその下は透明シートで覆われているから，包装箱の内部が外部と通ずることがなく衛生的に保たれる。開閉面部の先端に形成された係止舌片が，上面部または底面部とそれから連続する内側片との境界付近に形成された差込孔に差込まれるから，把手部を持って包装箱を持ち上げたときに上面部に上向きの力が加わっても，側面の開閉面部と上面部又は底面部との間にすき間が生じることはなく，不安定になることもない。
【００１２】
差込孔は一実施態様では，該境界に形成されたスリットである。他の実施態様では，該内側片に該境界に沿う線を弦とする半円形の切込みが形成され，この切込みの内側の半円形片がほぼ直角に折り曲げられ，これにより半円形の該差込孔が形成される。この場合には，係止舌片の差込みが容易となるとともに，抜け止めの効果もある。
【００１３】
把手部は上記登録実用新案公報に記載のように１つでもよいが，２つ形成することもできる。たとえば，該上面部に該開口の両側縁を連結する連結部を設け，この連結部の両側に連続して把手部をそれぞれ形成するとよい。
【００１４】
該前面部および該後面部にそれぞれ連続し，該出入口を塞ぐように折り曲げられる側部内側片を設けると該出入口の閉鎖性が高まる。
【００１５】
厚紙とは植物性繊維を材料とするもののみならず，合成繊維を材料の一部または全部とするもの，表面に合成樹脂膜をコーティング等したもの，合成樹脂による厚手のシート等を含むものである。
【００１６】
この発明は，１枚の厚紙を折ることにより直方体状の鏡餅用包装箱を形成するための型紙も提供している。この型紙は，底面部，前面部，上面部および後面部が連続して形成され，該上面部のほぼ中央の位置に，該上面部の一部を用いて起立可能な把手部が形成され，該上面部から該前面部に連続する開口が形成され，この開口を塞ぐとともに該把手部の内側面に接する透明シートが該上面部および該後面部の内側に設けられ，該底面部または該上面部から開閉面部が連続して形成され，該上面部または該底面部から内側片が連続して形成され，該内側片の該上面部または底面部との境界付近に差込孔が形成され，該開閉面部の先端には該差込孔に差込まれる係止舌片が形成されていることを特徴とするものである。
【図面の簡単な説明】
【００１７】
【図１】鏡餅用包装箱の展開図である。
【図２】鏡餅用包装箱の組立途中の斜視図である。
【図３】鏡餅用包装箱を持ち運ぶために把手部を起立させた状態を示す斜視図である。
【図４】変形例を示す鏡餅用包装箱の斜視図である。
【実施例】
【００１８】
図１から図３は実施例を示すもので，図１は鏡餅用包装箱を作るための１枚の型紙（ブランク）を示し，図２はこの型紙を用いて鏡餅用包装箱を組立てる途中の様子を示し（内部に鏡餅セットが収納されている），図３は持ち運ぶために把手部を起立させた状態を示している。
【００１９】
図１は包装箱10Ａの展開図を示し，厚紙を打ち抜いた１枚の型紙（ブランク）10Ａの外面を表わしている。山折りの折り線が一点鎖線で示され，谷折りの折り線が破線で示されている。
【００２０】
包装箱10を形成するための１枚の厚紙において，横一列に底面部14，前面部11，上面部12および後面部13および糊代13Ａが連続している。底面部14に一方の側面部15（包装箱を前からみたときに右側面部となる）（この側面が開閉面となるので，この側面部は開閉面部，扉部とも呼ばれる）が上記の横一列の方向とは垂直な方向に延びるように連続して形成されている。側面部15の先端部の中央部分には係止舌片15Ａが連続して形成されている。係止舌片15Ａは側面部15の幅の全体ではなく，中央部にのみ部分的に設けられている。同じように，包装箱を前からみたときに右側面部となる側において，前面部11，上面部12および後面部13には，それぞれ側部内側片17Ａ，上部内側片（内側片）17Ｂおよび側部内側片17Ｃが連続的に形成されている。上部内側片17Ｂには上面部12との境界に沿って（やや上部内側片17Ｂ寄りの位置に），係止舌片15Ａの幅にほぼ等しい長さのスリット（差込孔）22が形成されている。
【００２１】
他方の側面部（包装箱を前からみたときに左側面部となる）を形成する側面片側部16Ａ，側面片上部16Ｂ，側面片側部16Ｃおよび側面片下部16Ｄが上記の各面部11，12，13および14からそれぞれ，側面部15とは反対側に延びて連続的に形成されている。これらの部分16Ａ〜16Ｄは包装箱を形成したときにその一部が互いに重なり合って，包装箱10の左側面を閉鎖する。部分16Ａ，16Ｃには重なり合ったときに噛み合う弧状の辺部18ａ，18ｃが形成されている。部分16Ｂ，16Ｄはほぼ台形である。
【００２２】
上面部12には前後の中央に連結部12Ｃが区画されている。連結部12Ｃは左右方向に長く，その前後方向にはほぼＵ字形の把手部12Ａ，12Ｂが区画されている。連結部12Ｃの両側縁と把手部12Ａ，12Ｂの内周縁との間は切除されている（切除された部分（開口）を符号19で示す）。把手部12Ａ，12Ｂの外周縁の大部分は上面部12から切り離されている（切込みが入れられている）が，数箇所において上面部12とわずかにつながっている（つながっている部分を符号12ａで示す）。把手部12Ａ，12Ｂはその両端部において当然に上面部12（連結部12Ｃ）とつながっている。把手部12Ａ，12Ｂは，それを起立させたときに，切除された部分（開口，空間）19に指を入れて握ることができる程度の大きさが好ましい。
【００２３】
前面部11から上面部12の把手部12Ａまで，開口20が形成されている。開口20は包装箱10内に収納された鏡餅セットなどが外部から見えるようにするためのもので（透視窓），好ましくはその幅は前，上面部11，12の半分以上であり，長さは前面部11を組立てたときの下部となる部分を除いて前面部11のほぼ全体にわたるほど長い。この開口20を塞ぐように，そして把手部12Ａ，12Ｂおよび連結部12Ｃの内側面に接するように，合成樹脂製透明シート21が設けられている。この透明シート21はその全周にわたって前面部11および上面部12の内側面に接着（糊付け）されている。透明シート21は把手部12Ａ，12Ｂの内側面には接着されていない。好ましくは，透明シート21を連結部12Ｃの内側面と接着する。
【００２４】
図１に示す型紙を折り線で折り曲げて組立てると図２に示すような包装箱10ができる（図２は未完成状態である）。後面部13の糊代13Ａは底面部14の一辺部に糊付けされる。左側面部は各部分16Ａ〜16Ｄを図１に(1)〜(5)で示す順序で順次内側に入るように重ね合わせて形成される。このとき弧状の辺18ａと18ｃとが噛み合う。これらの部分16Ａ〜16Ｄは重なり合った部分で必要に応じて糊付けされる。包装箱10の表面には適切な模様，図柄，文字等が描かれるのはいうまでもない。
【００２５】
包装箱10の右側面が鏡餅セットの出入口である。鏡餅セット30を包装箱10内に収納した後，この出入口の閉鎖は次のようにして行なわれる。まず，側部内側片17Ａ，17Ｃが直角に折り曲げられ，出入口をほぼ覆う。次に上部内側片17Ｂが出入口に向けてほぼ直角に折り曲げられる。最後に，側面部15の係止舌片15Ａをほぼ直角に折り曲げておき，側面部15を底面部14との境界で直角に折り曲げ，係止舌片15Ａをスリット22内に入れる。これで包装箱10の組立てが完了する。
【００２６】
鏡餅セット30を収納した包装箱10はこの状態で店頭に陳列される。顧客は，透明シート21で覆われた開口（透視窓）20を通して包装箱10内の鏡餅セット30（たとえば鏡餅形パックが三方に載置され，かつ各種の飾りがつけられたもの）を見ることができる。
【００２７】
包装箱10内に収納された鏡餅セットを購入した顧客はその上面部12に形成された把手部12Ａ，12Ｂを起立させる。すなわち，把手部12Ａ，12Ｂは上面部12から殆ど切り離されており，わずかなつなぎ部分12ａでつながっているだけであるから，把手部12Ａ，12Ｂを手で起こしていけば，つなぎ部分12ａは容易に切断され，図３に示すように起立する。顧客は把手部12Ａ，12Ｂを手で持って，重い鏡餅形パックが入った包装箱10を運ぶことができる。包装箱10を紙袋等に入れて持ち運ぶ必要はない。
【００２８】
把手部12Ａ，12Ｂを持ち上げたときに上面部12の中央部は上方に引っ張られるが，側面部15の係止舌片15Ａが上面部12と上部内側片17Ｂとの境界に形成されたスリット22内に入っているので，上面部12と側面部15との間にすき間ができて不安定となったり，不格好となることがない。
【００２９】
上記実施例では把手部12Ａ，12Ｂと連結部12Ｃとの間が切除されている（符号19で示す部分）が，この部分19を完全に切除せずに残しておき，かつ把手部12Ａ，12Ｂの内周縁のうちの長い縁でのみ連続させ（把手部12Ａ，12Ｂの内周縁のうち短い縁および連結部12Ｃと接する縁に切込みを入れる）ておいて，部分19を把手部12Ａ，12Ｂと重ねるように折り返してもよい。把手部は，上述した実用新案登録第 3121163号に記載のように，把手部12Ａのみとしてもよい。逆に把手部12Ｂのみとしてもよい。上面部12の前面部11側の境界と把手部12Ａとの間に，連結部12Ｃと同じような連結部を設けてもよい。
【００３０】
上記実施例では係止舌片は側面部15の中央に１つのみ設けられているが，互いに離れた状態で２つまたは３つ以上の係止舌片を設けてもよい。この場合には，複数の係止舌片に対応して上部内側片17Ｂと上面部12との境界付近に，これらの係止舌片を差込む複数のスリットを形成するのはいうまでもない。スリットに少し幅を持たせれば係止舌片が差込みやすくなる。
【００３１】
図４は差込孔の変形例を示すものであり，上部内側片17Ｂの中央部に，上面部12との境界に沿う線を弦とする半円形の切込み23が形成され，この切込み23の内側の半円形片23ａが上部内側片17Ｂよりも内側に入るように上面部12に対してほぼ直角に折り曲げられる。包装箱10の右側出入口を閉鎖するときに，側面部15を立上げてその係止舌片15Ａを半円形の孔23（切込み23のみならず，それによって形成された半円形の孔も符号23で示す）内に入れると，係止舌片15Ａの先端が半円形片23ａの表面に当り，この表面上を滑りながら下方に案内されていく。これによって係止舌片15Ａの差込みが容易となる。半円形孔23の直径は係止舌片15Ａの幅にほぼ等しい程度にしておくと，係止舌片15Ａが半円形孔23内に差込まれた後は，係止舌片15Ａが半円形孔23の徐々に幅の狭くなる弧状部分に引っ掛かり，抜けにくくなる。
【符号の説明】
【００３２】
10  包装箱
10Ａ  型紙（ブランク）
11  前面部
12  上面部
12Ａ，12Ｂ  把手部
12Ｃ  連結部
13  後面部
14  底面部
15  側面部（開閉面部）
15Ａ  係止舌片
17Ａ，17Ｃ  側部内側片
17Ｂ  上部内側片
20  開口
21  透明シート
22  スリット（差込孔）
23  半円形孔（差込孔）
【図１】
0005799524.tif 000002
【図２】
0005799524.tif 000003
【図３】
0005799524.tif 000004
【図４】
0005799524.tif 000005